(57)【要約】【課題】敷設された板材全体の柄を好みに合わせて選定し、より短い期間で、選定した柄となるように板材を下地面に敷設することができる板材の施工方法を提供する。【解決手段】板材の施工方法は、異なる種類の木目模様が印刷された複数種の板材に対して、下地面に敷設される各種類の板材の割合を決定するステップＳ１と、決定した割合に基づいて、下地面に敷設される各種類の板材の枚数を算出するステップＳ２と、各種類の板材が下地面に敷設される敷設位置を決定するステップＳ３と、決定した敷設位置に、各種類の板材を敷設するステップＳ４と、を含む。【選択図】図１
2017179948.tif 000002
【特許請求の範囲】
【請求項１】
木目模様が印刷された複数枚の板材を、板材同士が隣接するように、下地面に敷設する板材の施工方法であって、
異なる種類の前記木目模様が印刷された複数種の板材に対して、前記下地面に敷設される各種類の板材の割合を決定する工程と、
決定した前記割合に基づいて、前記下地面に敷設される前記各種類の板材の枚数を算出する工程と、
前記各種類の板材が前記下地面に敷設される敷設位置を決定する工程と、
決定した前記敷設位置に、前記各種類の板材を敷設する工程と、を含むことを特徴とする板材の施工方法。
【請求項２】
前記板材の割合を決定する工程において、前記複数種の板材に対して、予め設定された異なる複数の割合から、１つの割合を選択することにより、前記各種類の板材の割合を決定することを特徴とする請求項１に記載の板材の施工方法。
【請求項３】
前記敷設位置を決定する工程において、前記各種類の板材のうち、前記下地面の隅部の敷設位置を除く敷設位置に敷設される板材と、これに隣接する少なくとも１つの板材とが、異なる木目模様となるように、前記各板材の敷設位置を決定することを特徴とする請求項１または２に記載の板材の施工方法。
【請求項４】
前記敷設位置を決定する工程において、
前記各板材に乱数に基づいた番号を割付ける工程と、
前記下地面の各板材が敷設される敷設位置に、敷設される前記板材の枚数に応じて異なる番号を割付ける工程と、
前記板材に割付けられた番号と、前記敷設位置に割付けられた番号とを、番号順に対応させて、前記各種類の板材が前記下地面に敷設される敷設位置を決定することを特徴とする請求項１または２に記載の板材の施工方法。
【請求項５】
異なる種類の木目模様が印刷された複数種の板材は、
木目のみの模様が印刷された主板材と、
節、割れ、やに、杢、入り皮、金筋、シュガー筋、偽芯、アテ、色ムラ、てりの模様、釘孔の跡の模様、およびノコギリの傷跡に応じた模様の群から選択された模様が木目のみの模様にさらに付与された少なくとも１種類以上の副板材と、を備え、
前記板材の割合を決定する工程において、前記主板材の割合を、前記副板材の割合よりも大きくなるように決定することを特徴とする請求項１〜４のいずれか一項に記載の板材の施工方法。
【請求項６】
前記敷設位置を決定する工程において、同じ種類の前記副板材同士が隣接した前記敷設位置に配置されないように、前記副板材の決定された敷設位置を変更することを特徴とする請求項５に記載の板材の施工方法。
【発明の詳細な説明】
【技術分野】
【０００１】
本発明は、木目模様が印刷された複数枚の板材を、板材同士が隣接するように、下地面に敷設するに好適な板材の施工方法に関する。
【背景技術】
【０００２】
従来から、板材の意匠性を高めるため、板材の表面にインクジェット印刷などにより模様を印刷し、インクにより模様が形成された板材が利用されることがある。このような板材を、板材同士が隣り合う（隣接する）ように下地面に複数枚敷設する際には、異なる種類の模様が形成された複数種の板材を下地面に必要な枚数分準備し、これらの板材を下地面に敷設する。ここで、同じ種類の模様が形成された板材同士が、繰り返し連続して複数枚敷設されると、敷設された板材全体に違和感があるため、同じ種類の模様が形成された板材は分散して敷設されることが好ましい。
【０００３】
このような点を鑑みて、例えば、特許文献１および２に係る技術では、複数の板材により所定形状に区画された施工パターン情報を用意し、この施工パターン情報に下地面の形状及び大きさの情報をプロットし、各板材毎の色柄情報、敷設位置情報等を確定させ、その情報に基づき各板材に表面意匠を印刷しかつマーキングを施している。その後、印刷およびマーキングされた複数の板材を、所定の敷設位置に敷設する。
【０００４】
この態様によれば、異なる種類の模様が形成された複数種の板材を敷設する前に、各板材の色柄情報、敷設位置情報を確定し印刷するので、繰り返し連続して、同じ模様の板材が複数枚敷設されることを防止することができる。
【先行技術文献】
【特許文献】
【０００５】
【特許文献１】特開２０１２−７７４４６号公報
【特許文献２】特開２０１２−７７４４４号公報
【発明の概要】
【発明が解決しようとする課題】
【０００６】
しかしながら、特許文献１の技術では、施工パターン情報に、一定の色柄情報が設定されている。このため、板材を敷設する下地面に拘わらず、敷設された板材全体が一定の柄（同じ柄）に見えるため、例えば異なる部屋であっても、同じ部屋の如きイメージを与えてしまう。
【０００７】
さらに、特許文献１の技術では、敷設される板材の敷設位置の情報を、各板材に対応付けつつ、板材の表面に模様を印刷するので、予め模様を印刷した板材をストックしておくことはできない。このため、板材の表面の印刷から板材の敷設まで長期間を要することがある。
【０００８】
本発明は、このような点を鑑みてなされたものであり、その目的とするところは、敷設された板材全体の柄を好みに合わせて選定し、より短い期間で、選定した柄となるように板材を下地面に敷設することができる板材の施工方法を提供することにある。
【課題を解決するための手段】
【０００９】
このような課題を鑑みて、発明者は、鋭意検討を重ねた結果、敷設した板材全体の柄を見たときのイメージは、異なる種類の木目模様が印刷された板材の各割合（比率）を決定することにより、大きく変わるとの新たな知見を得た。
【００１０】
本発明は、発明者による新たな知見に基づくものであり、本発明に係る板材の施工方法は、木目模様が印刷された複数枚の板材を、板材同士が隣接するように、下地面に敷設する板材の施工方法であって、異なる種類の前記木目模様が印刷された複数種の板材に対して、前記下地面に敷設される各種類の板材の割合を決定する工程と、決定した前記割合に基づいて、前記下地面に敷設される前記各種類の板材の枚数を算出する工程と、前記各種類の板材が前記下地面に敷設される敷設位置を決定する工程と、決定した前記敷設位置に、前記各種類の板材を敷設する工程と、を含むことを特徴とする。
【００１１】
本発明によれば、異なる種類の木目模様が印刷された複数種の板材に対して、下地面に敷設される各種類の板材の割合を決定することにより、敷設後の板材全体の柄を、好みに合わせて設定することができる。そして、決定した割合に基づいて、各種類の板材の枚数を算出して、この枚数に応じた板材を準備すればよいので、予め板材の表面に木目模様を印刷してストックしておくこともできる。
【００１２】
このような結果、敷設された板材全体の柄を好みに合わせて簡単に選定することができ、より短い期間で、板材全体が選定した柄となるように板材を下地面に敷設することができる。
【００１３】
より好ましい態様としては、前記板材の割合を決定する工程において、前記複数種の板材に対して、予め設定された異なる複数の割合から、１つの割合を選択することにより、前記各種類の板材の割合を決定する。
【００１４】
この態様によれば、予め設定された異なる複数の割合から、１つの割合を選択することにより、前記各種類の板材の割合を決定するので、板材全体の柄のイメージを、好みに合わせて簡単に選択することができる。
【００１５】
さらに好ましい態様としては、前記敷設位置を決定する工程において、前記各種類の板材のうち、前記下地面の隅部の敷設位置を除く敷設位置に敷設される板材と、これに隣接する少なくとも１つの板材とが、異なる木目模様となるように、前記各板材の敷設位置を決定する。この態様によれば、隣接する板材同士がすべて同じ種類の板材になることを避け、同じ種類の板材が、下地面に偏って敷設されることを抑えることができる。
【００１６】
さらに別の好ましい態様としては、前記敷設位置を決定する工程において、前記各板材に乱数に基づいた番号を割付ける工程と、前記下地面の各板材が敷設される敷設位置に、敷設される前記板材の枚数に応じて異なる番号を割付ける工程と、前記板材に割付けられた番号と、前記敷設位置に割付けられた番号とを、番号順に対応させて、前記各種類の板材が前記下地面に敷設される敷設位置を決定する。
【００１７】
この態様によれば、乱数に基づいた番号が割付けられた板材を、異なる番号が割付けられた施工位置に、番号順に対応させて、配置することができるので、同じ種類の板材をランダムにばらつかせて配置することができる。
【００１８】
さらに、好ましい態様としては、異なる種類の木目模様が印刷された複数種の板材は、木目のみの模様が印刷された主板材と、節、割れ、やに、杢、入り皮、金筋、シュガー筋、偽芯、アテ、色ムラ、てりの模様、釘孔の跡の模様、およびノコギリの傷跡に応じた模様の群から選択された模様が木目のみの模様にさらに付与された少なくとも１種類以上の副板材と、を備え、前記板材の割合を決定する工程において、前記主板材の割合を、前記副板材の割合よりも大きくなるように決定する。
【００１９】
この態様によれば、木目のみの模様が印刷された板材が、敷設された板材全体の主な部分を占め、その他の節等の模様が印刷された副板材が、敷設された板材全体に対して分散して配置される。これにより、敷設された板材全体として違和感のない自然な柄となるように、板材を敷設することができる。
【００２０】
特に好ましい態様としては、前記敷設位置を決定する工程において、同じ種類の前記副板材同士が隣接した前記敷設位置に配置されないように、前記副板材の決定された敷設位置を変更する。
【００２１】
この態様によれば、同じ種類の副板材同士が隣接した敷設位置に敷設されず、離れた位置に敷設されるので、敷設された板材全体に対して副板材の模様が局所的に集中せず、副板材の木目模様を目立ち難くすることができる。
【発明の効果】
【００２２】
本発明によれば、敷設された板材全体の柄を好みに合わせて簡単に選定することができ、より短い期間で、選定した柄となるように板材を下地面に敷設することができる。
【図面の簡単な説明】
【００２３】
【図１】本実施形態に係る板材の施工方法のフロー図である。
【図２】図１のステップＳ１の工程を説明するための図である。
【図３】図１のステップＳ２の工程を説明するための図である。
【図４】図１のステップＳ３の工程のうち、板材に乱数に基づいた乱数の番号を割付ける工程を説明するための図である。
【図５】図１のステップＳ３の工程のうち、板材の枚数に応じて異なる番号を、下地面の敷設位置に割付ける工程を説明するための図である。
【図６】図１のステップＳ３の工程のうち、板材に割付けられた番号と、敷設位置に割付けられた番号から板材の敷設位置を決定する工程を説明するための図である。
【図７】（ａ）は、決定された敷設位置に各板材を配置した状態を示した模式的平面図であり、（ｂ）は、（ａ）において、板材の決定された敷設位置を変更した状態示した模式的平面図である。
【図８】本実施形態に係る施工システムの模式的概念図である。
【発明を実施するための形態】
【００２４】
以下に、図１〜図８を参照して、本発明に実施形態に係る板材の施工方法を説明する。
本実施形態に係る板材の施工方法では、木目模様が印刷された複数枚の板材を、板材同士が隣接するように、下地面に敷設する。具体的には、本実施形態では、後述する図１に示す一連の工程を行う。なお、板材が敷設される下地面は、例えば、部屋、玄関、キッチンなどの床、壁、カップボード等の下地面であり、複数の板材を敷設することができるのであれば、特に下地面は限定されるものではない。まず、下地面に敷設される板材について説明する。
【００２５】
１．板材について
下地面に敷設される板材は、基材の表面に木目模様が印刷された板材である。具体的には、木目模様が印刷される基材は、その表面に木目模様を印刷することができるのであれば、特に限定されるものではなく、その材料としては、例えば、合板、パーティクルボード（ＰＢ）、木質繊維板（ＭＤＦ・インシュレーションボード・ハードボードなど）、配向性ストランドボード（ＯＳＢ）、ＬＶＬ、または、集成材を挙げることができる。また、この他にも、樹脂と木材を混合した複合型の基材であってもよく、ポリ塩化ビニル系樹脂、ポリウレタン系樹脂、またはポリオレフィン系樹脂（ポリエチレン、ポリプロピレン、ポリエチレンビニルアセテート、またはポリビニルアルコールなど）の樹脂製の基材であってもよい。本実施形態では、好ましい態様として、これらの基材の印刷される側の表面に突板または挽板などの天然の木材に由来する単板が貼着されている。
【００２６】
単板の材料としては、例えば、ビーチ、オーク、メイプル、ケヤキ、ウォールナット、シナ、ナラ、ヤチダモ、キリ、ヒノキ、スギ、マホガニー、チーク、ローズウッド、トチ、クロガキ、シオジ、ニレ、カバ、シタン、またはコクタンなどを挙げることができる。突板の場合には、その厚さは、０．１〜１．０ｍｍの範囲にあることが好ましく、挽板の場合には、その厚さは、１ｍｍ〜３ｍｍの範囲にあることが好ましい。木目模様が印刷される基材が、このような単板のみで構成された無垢材であってもよい。
【００２７】
ここで、単板の表面は、天然の木材からなり、天然の木目模様が形成されている。このため、これらの天然の木材の表面（木質表面）の凹凸形状を残すように、天然の木目模様とは異なる木目模様を、例えばインクジェット印刷で基材の表面に印刷することが好ましい。これにより、天然の木材の凹凸形状が形成され、かつ、インク粒子の付着により好みの木目模様が形成された、意匠性の高い板材を得ることができる。
【００２８】
本実施形態では、インク(粒子）により形成される（印刷された）木目模様は、単板の表面とは異なる、１枚の板材の表面を画像として撮影し、撮影した画像に応じた模様（木材の表面模様）を、インクジェットプリンターで印刷することで得ることができる。
【００２９】
本実施形態では、インクジェット印刷を行うインクは、例えばイエロー、マゼンダ、シアン、およびブラックの４色で構成され、これらのインクを用いて、単板の表面にインク層を形成することで木目模様を印刷する。ここで、インクジェット印刷に用いられるインクは、水性インク、油性インク、または紫外線硬化型のインクのいずれのインクであってもよい。印刷用のインクに、紫外線硬化型のインクを用いれば、印刷したインクが、単板に殆ど含浸されず、鮮明な表面模様を得ることができる。
【００３０】
より具体的には、本実施形態では、従来の技術とは異なり、微細な粒径の紫外線硬化型のインクを、単板（基材）の表面に吹き付ける。具体的には、インクの液滴は、１〜２０ｐｌの範囲にあることが好ましく、より好ましくは、３〜１４ｐｌの範囲にある。このようにして、未硬化のインク粒子が離間して付着し、インク粒子同士の間に、インク粒子から表面が露出する。その後、印刷面に、紫外線を照射することで、インク粒子を硬化させる。
【００３１】
ここで、本実施形態でいう「異なる種類の木目模様が印刷された複数種の板材」とは、木目のみの模様が印刷された主板材と、節、割れ、やに、杢、入り皮、金筋、シュガー筋、偽芯、アテ、色ムラ、てりの模様、釘孔の跡の模様、およびノコギリの傷跡に応じた模様の群から選択された模様が木目のみの模様にさらに付与された少なくとも複数種の副板材からなる。
【００３２】
より具体的には、本実施形態では、後述する図２に示すように、複数種の副板材は、節、割れ、やに、杢、入り皮、または金筋の模様が木目のみの模様にさらに付与された５種類（Ｂ種〜Ｆ種）の副板材からなる。なお、主板材は、図２では、Ａ種の板材に相当する。
【００３３】
なお、「木目のみの模様」とは、柾目または板目等の木目のみからなる模様である。したがって、主板材は、副板材に付与される節等の模様がない木目模様であり、通常良好とされる板材の木目模様である。また、各種類毎の板材の木目模様は、同じ形状及び色彩の木目模様であってもよいが、その木目模様の種類を特定することができ、各種類の板材に分類することができるのであれば、これらの木目模様が同じ形状及び色彩の模様でなくてもよい。
【００３４】
本実施形態では、異なる種類の木目模様が印刷された複数種の板材を、予め印刷してストックされていてもよく、例えば、以下に示す図１のステップＳ４の板材を敷設する工程までに、準備されていればよい。
【００３５】
２．板材の施工方法について
以下に、本実施形態に係る板材の施工方法を説明する。
２−１．各種類の板材の割合を決定する工程
まず、本実施形態では、図１のステップＳ１に示すように、各種類の板材の割合を決定する。具体的には、異なる種類（図２に示すＡ種〜Ｆ種）の木目模様が印刷された複数種の板材に対して、下地面に敷設される各種類の板材の割合を決定する。
【００３６】
より具体的には、本実施形態では、板材に、柾目または板目などの木目のみの模様が印刷されたＡ種である主板材と、節、割れ、やに、杢、入り皮、または金筋の模様が木目のみの模様にさらに付与された５種類（Ｂ種〜Ｆ種）の副板材との各種類の板材の割合を決定する。
【００３７】
本実施形態では、割合を決定する副板材に、上述した５種類の副板材を用いたが、例えば、シュガー筋、偽芯、アテ、色ムラ、てりの模様、釘孔の跡の模様、またはノコギリの傷跡に応じた模様などのさらなる種類の副板材を用いてもよく、これらの模様を組み合わせた複数種類の板材を用いてもよい。
【００３８】
さらに、Ａ種〜Ｅ種の板材（主板材および副板材）のうち、同じ種類の一対の板材に印刷される各板材の木目模様を、線対称の木目模様にしてもよい。これにより、一対の板材のうち、一方の板材の木目模様と、他方の板材の木目模様は、線対称の木目模様となるので、これらの一対の板材を、下地面に敷設した際に、一対の板材が１つの木材から切り出されたかの如く見える。なお、この場合には、一対の板材同士を隣接して敷設してもよく、これにより、このような効果を一層期待することができる。
【００３９】
また、Ａ種の主板材と、Ｂ種〜Ｆ種の５種類の副板材と、の割合は、板材の施工に合わせて、その都度設定してもよいが、本実施形態では、図２に示すように、Ａ〜Ｆ種の５種の板材に対して、予め設定された異なる複数の割合から、１つの割合を選択することにより、各種類の板材の割合を決定する。
【００４０】
例えば、パターンIでは、Ａ種６０％、Ｂ種〜Ｅ種１０％、Ｆ種０％であり、パターンIIでは、Ａ種４０％、Ｂ種〜Ｅ種１５％、Ｆ種０％であり、各種類の板材の割合は、板材を敷設したときの板材全体（板構造体）の表面の柄のイメージが異なるように、設定されている。したがって、予め設定された異なる複数の割合（パターン）から、１つの割合（パターン）を選択することにより各種類の板材の割合を決定するので、板材全体の柄のイメージを好みに合わせて簡単に選択することができる。
【００４１】
パターンI〜パターンIIIでは、Ａ種の主板材の割合が、Ｂ種〜Ｆ種の副板材の割合よりも大きくなるように設定されている。これにより、木目のみの模様が印刷されたＡ種の主板材が、敷設された板材全体の主な部分を占め、その他の節等の模様が印刷されたＢ種〜Ｆ種の副板を、敷設された板材全体に対して分散して配置することができる。これにより、敷設された板材全体（板構造体）として、意匠的に違和感のない自然な柄となるように、各板材を敷設することができる。
【００４２】
なお、パターンIVのように、敷設する各板材のうち、Ａ種の主板材の割合を０％とし主板材を含めず、他のＣ種〜Ｅ種の副板材のみでその割合を決定してもよく、パターンVのように、Ａ種〜Ｅ種の板材を同じ割合に決定してもよい。
【００４３】
２−２．各種類の板材の枚数を算出する工程
次に、図１のステップＳ２に進み、決定した割合に基づいて、下地面に敷設される各種類の板材の枚数を算出する。ここで、本実施形態では、その一例として、図２に示すパターンIを選択した場合の各種類の板材の枚数の算出方法を以下に説明する。
【００４４】
本実施形態では、１８行×４列に区分された下地面に、敷設枚数７２枚の板材を敷設する（例えば、図５参照）。ここで、板材の割合として、パターンIを選択した場合には、Ａ種６０％、Ｂ種〜Ｅ種１０％、Ｆ種０％である。まず、敷設枚数に各種類の板材の割合を乗算する。
【００４５】
具体的には、Ａ種の主板材は、７２枚×６０％で４３．２枚となり、Ｂ種〜Ｅ種の副板材は、７２枚×１０％で７．２枚となる。ここで算出された枚数の値は、整数ではない。したがって、本実施形態では、Ｂ〜Ｅ種の算出された枚数の値の小数点第１位の値を切り捨てて、各板材の合計の枚数が、敷設枚数（７２枚）となるように、Ａ種の主板材の枚数の値を増加させる（調整する）。
【００４６】
これにより、Ｂ種〜Ｅ種の板材の枚数は７枚となり、Ａ種の板材は４４枚となる。本実施形態では、Ａ種の主板材は、木目のみの模様が印刷された板材であるので、Ａ種の主板材の枚数が増加しても、敷設した板材全体の柄に違和感が生じることはない。
【００４７】
２−３．敷設位置を決定する工程
次に、図１のステップＳ３に進み、各種類の板材が下地面に敷設される敷設位置を決定する。まず、Ａ種〜Ｅ種の各板材に乱数に基づいた番号を割付ける。具体的には、図４に示すように、Ａ種の主板材４４枚、Ｂ種〜Ｅ種の各副板材７枚を、番号１〜７２の順に並べ、乱数表等を用いて、これらのＡ種〜Ｅ種の板材に対して、乱数に基づいた番号を割付ける。
【００４８】
乱数表を用いる場合には、例えばこの工程を行う日時等に基づいて、乱数表の行と列を決定し、決定した行と列に相当する乱数表の数値から、それ以降に配列された乱数を順に読み出す。例えば、本実施形態では、乱数表で決定された行と列から読み出した割付開始の数値は、「７０」であり、そこから順に乱数表の数値を読み出して（具体的には数値６９，２５，１１，７６，…）、Ａ種〜Ｅ種の各板材に乱数に基づいた番号を割付ける。
【００４９】
次に、下地面のＡ〜Ｅ種の合計７２枚の各板材が敷設される敷設位置に、敷設される板材の枚数に応じて異なる番号を割付ける。具体的には、図５に示すように、下地面の各板材が敷設される敷設位置に、左上から順に、１〜７２までの通し番号を割付番号として、割付ける。
【００５０】
次に、板材に割付けられた乱数の番号と、敷設位置に割付けられた割付番号とを、番号順に対応させて、各種類の板材が下地面に敷設される敷設位置を決定する。具体的には、図４で示した、Ａ種〜Ｅ種の各板材に割付けられた乱数を、図６に示すように小さい順に並べ替える。
【００５１】
本実施形態では、乱数は、数の小さい順に「０」、「２」、「３」、「４」…となり、この乱数が割付けられた板材は、「Ａ種」、「Ａ種」、「Ａ種」、「Ｃ種」…であり、この順に、板材の種類に対応させて、乱数を並べ替える。
【００５２】
次に、並べ替えた板材に割付けられた乱数の番号に、敷設位置の割付番号（通し番号）を小さい順に対応させる。これにより、図７（ａ）に示すように、Ａ〜Ｅ種の７２枚の各板材の床下地面に敷設される敷設位置が決定される。このようにして、乱数に基づいて、各種類の板材をランダムに配置することができる。
【００５３】
ここで、図７（ａ）に示すように、（１）割付番号「１５」「１６」のＢ種の副板材、（２）割付番号「２６」「４５」のＤ種の副板材、（３）割付番号「３０」「４７」のＤ種の副板材、（４）割付番号「４３」「６１」のＣ種の副板材、（５）割付番号「６３」「６４」のＥ種の副板材は、それぞれ隣接して配置される。
【００５４】
そこで、本実施形態では、同じ種類の副板材同士が隣接した敷設位置に配置されないように、副板材の決定された敷設位置を変更する。具体的には、図７（ｂ）に示すように、（１）割付番号「１５」のＢ種の副板材と割付番号「１０」のＡ種の主板材とを入れ替える。同様に、（２）割付番号「４５」のＤ種の副板材と、割付番号「６８」のＣ種の主板材とを入れ替え、（３）割付番号「４７」のＤ種の副板材と、割付番号「１７」のＡ種の主板材とを入れ替える。さらに、（４）割付番号「６１」のＣ種の副板材と、割付番号「３７」のＢ種の副板材とを入れ替え、（５）割付番号「６３」のＤ種の副板材と、割付番号「９」のＡ種の副板材とを入れ替える。
【００５５】
このようにして、同じ種類の副板材同士が隣接した敷設位置に配置されず、離れた位置に敷設されるので、敷設された板材全体に対して副板材の模様が局所的に集中せず、副板材の木目模様を目立ち難くすることができる。
【００５６】
本実施形態では、上述したように、乱数表を用いて、各種類の板材の敷設位置を決定した。しかしながら、例えば、Ａ種からＥ種の種類の板材のうち、下地面の隅部の敷設位置（図５の「１」、「１８」、「５５」、「７２」）を除く敷設位置に敷設される板材と、これに隣接する少なくとも１つの板材とが、異なる木目模様となるように、各板材の敷設位置を決定してもよい。これにより、隣接する板材同士がすべて同じ種類の板材になることを避け、同じ種類の板材が偏って敷設されることを抑えることができる。
【００５７】
２−４．板材を敷設する工程
次に、図１のステップＳ４に進み、決定した敷設位置に、各種類の板材を敷設する。具体的には、図７（ｂ）に示す変更後の敷設位置に、７２枚のＡ種〜Ｅ種の板材を敷設する。これにより、同じ種類の副板材同士が隣接した敷設位置に配置されず、離れた位置に敷設された板構造体を得ることができる。
【００５８】
このようにして、本実施形態では、異なる種類（Ａ種〜Ｅ種）の木目模様が印刷された複数種の板材に対して、下地面に敷設される各種類の板材の割合を決定することにより、敷設後の板材全体の柄を、好みに合わせて選定することができる。
【００５９】
また、決定した割合に基づいて、各種類の板材の枚数を算出して、この枚数に応じた板材を準備すればよいので、予め板材の表面に木目模様を印刷してストックしておくこともできる。
【００６０】
また、本実施形態では、インクジェット印刷により、基材の表面に木目模様を印刷した板材を製造するので、多品種小ロット生産が可能であり、多種多様の木目模様を作製することができる。したがって、板材全体（板構造体）の表面を、オンデマンドで好みに合わせた柄に施工することができる。
【００６１】
ここで、上述したステップＳ１〜Ｓ３の工程を、図８に示す施工システム１を用いて行ってもよい。施工システム１は、入力装置１１、ＣＰＵなどの演算装置１２、ＲＡＭ等の記憶装置１３、および表示装置１４を備えている。
【００６２】
本実施形態では、入力装置１１は、ステップＳ１で示した板材の種類および各種類の板材の割合、ステップＳ２およびステップＳ３で示した下地面に敷設される板材の枚数（行および列）等の入力情報を演算装置１２に入力可能なように、演算装置１２に接続されている。
【００６３】
演算装置１２は、入力装置１１からの入力情報に基づいて、ステップＳ２で示した各種類の板材の枚数を算出するとともに、ステップＳ３で示した各板材の敷設位置を決定する。ここで、記憶装置１３には、ステップＳ１で示した各種類の板材の割合に相当するパターン（図２参照）、ステップＳ３で示した乱数表、および各種類の板材に印刷された木目模様の画像等の情報が記憶されている。このようにして、演算装置１２は、入力装置１１からの入力情報に基づいて、記憶装置１３からこれらの情報を読み出すことにより、各種類の板材の枚数を算出するとともに、上述した一連の作業を演算により行って、各板材の敷設位置を決定する。
【００６４】
表示装置１４は、記憶装置１３から演算装置１２を介して出力された、各種類の板材の割合に相当するパターン（図２参照）を表示し、入力装置１１からの入力情報に基づいて演算装置１２で決定された敷設位置に各種類の板材を敷設した状態（図７（ａ），（ｂ）参照）を表示する。
【００６５】
この施工システム１によれば、入力装置１１から入力した情報に基づいて、演算装置１２で各種類の板材の敷設位置を決定し、演算装置１２で決定された敷設位置に各板材を敷設した状態を、表示装置１４で表示することができる。
【００６６】
これにより、板材を施工する前に、予め敷設された板材全体（板構造体）の柄を確認することができ、さらには、板材全体（板構造体）が好みの柄となるまで、各種類の板材の割合を変更し、これを確認することができる。
【００６７】
以上、本発明の実施形態について詳述したが、本発明は、前記の実施形態に限定されるものではなく、特許請求の範囲に記載された本発明の精神を逸脱しない範囲で、種々の設計変更を行うことができるものである。
【００６８】
本実施形態では、施工する板材は、矩形状の板材であったが、例えば雁行タイプの板材であってもよく、板材同士を隣接するように、下地面に敷設することができるのであれば、その形状は特に限定されるものではない。
【符号の説明】
【００６９】
１：施工システム、１１：入力装置、１２：演算装置、１３：記憶装置、１４：表示装置
【図１】
2017179948.tif 000003
【図２】
2017179948.tif 000004
【図３】
2017179948.tif 000005
【図４】
2017179948.tif 000006
【図５】
2017179948.tif 000007
【図６】
2017179948.tif 000008
【図７】
2017179948.tif 000009
【図８】
2017179948.tif 000010